(57)【要約】  照明器具の外側の表面に取り付けるための制御機構が記載されている。制御機構は、互いに取り付けられるように構成される制御モジュール（１）と制御モジュール基部とを備える。制御モジュール基部は、制御モジュール（１）に設けられる近距離無線通信ユニットと通信するように構成される近距離無線通信手段を備える。
2019504453.tif 000002
【特許請求の範囲】
【請求項１】
照明器具の外側表面に制御モジュール（１）を取り付けるための制御モジュール基部（２３）であって、
第１の表面（２６）、第２の表面、及び前記第１の表面と前記第２の表面の間の側方表面（２９）を有する基部本体部分と、
前記第１の表面（２６）に設けられ、前記基部本体部分の前記第１の表面（２６）に前記制御モジュール（１）を締結するように構成される、少なくとも１つの凹部（２８ａ、２８ｂ、２８ｃ）とを備える、制御モジュール基部（２３）において、
前記制御モジュール基部（２３）が、前記照明器具の仕様に関する情報のうちの少なくとも１つの項目を含む近距離無線通信手段（２４）をさらに備えることを特徴とする、制御モジュール基部（２３）。
【請求項２】
前記近距離無線通信手段（２４）が、少なくとも部分的に前記基部本体部分の外側に配置されることを特徴とする、請求項１に記載の制御モジュール基部。
【請求項３】
前記近距離無線通信手段（２４）が、少なくとも部分的に前記基部本体部分に組み込まれることを特徴とする、請求項１又は２に記載の制御モジュール基部。
【請求項４】
前記近距離無線通信手段（２４）が、ＲＦＩＤトランスポンダを備えることを特徴とする、請求項１から３までのいずれか一項に記載の制御モジュール基部。
【請求項５】
前記制御モジュール基部（２３）が、前記ＲＦＩＤトランスポンダの位置に印を付けること、前記制御モジュール（１）を位置決めすること、及び前記近距離無線通信手段（２４）を位置合わせすることのうちの少なくとも１つのために構成される情報キャリア（３１）を含むことを特徴とする、請求項４に記載の制御モジュール基部。
【請求項６】
前記情報キャリア（３１）が、前記第１の表面（２６）に対して角度を付けられる前記基部本体部分の前記側方表面に配置されることを特徴とする、請求項６に記載の制御モジュール基部。
【請求項７】
前記近距離無線通信手段（２４）が、コイル及びトランスポンダ回路を含む円筒形の形状を有し、前記円筒形の形状により、前記基部本体に設けられる穴、及びその製造中、前記基部本体に封入することのうちの１つにより、前記基部本体への、その挿入が可能になることを特徴とする、請求項１から６までのいずれか一項に記載の制御モジュール基部。
【請求項８】
前記基部本体部分は、導電性接続接点を有する、前記基部本体部分の少なくとも１つの部分が、前記基部本体部分の少なくとも１つの他の部分に対して回転されるように構成される多分割構造であることを特徴とする、請求項１から７までのいずれか一項に記載の制御モジュール基部。
【請求項９】
前記近距離無線通信手段（２４）に含まれる前記情報が、それが取り付けられることになっている照明器具に関するものであり且つ前記近距離無線通信手段が関連付けられる前記照明器具を後で個別化するためのデータベース内の一意識別子に対応する一意識別子、を含むことを特徴とする、請求項１から８までのいずれか一項に記載の制御モジュール基部。
【請求項１０】
それを照明器具ネットワークに関連付ける、前記照明器具の組込みのために構成される、複数の少なくとも電気的構成要素及び電子的構成要素を備える、制御モジュール（１）であって、当該制御モジュールが、請求項１から９までのいずれか一項による制御モジュール基部（２３）に取り付けられるようにさらに構成され、近距離無線通信ユニットをさらに備え、それにより、前記制御モジュール基部（２３）の前記近距離無線通信手段（２４）内の前記情報が読み取られ得ることを特徴とする、制御モジュール（１）。
【請求項１１】
前記近距離無線通信ユニットが、無線方式識別読取りユニットを備えることを特徴とする、請求項１０に記載の制御モジュール。
【請求項１２】
前記近距離無線通信ユニットが、前記制御モジュールの端部面（４）に対して実質的に平行に配置される実質的に平面のアンテナ（３３）を備えることを特徴とする、請求項１０又は１１に記載の制御モジュール。
【請求項１３】
前記アンテナ（３３）が、前記電気的構成要素又は電子的構成要素のうちの少なくともいくつかを有するプロセッサ・プリント回路板（９）に対して平行に形成されることを特徴とする、請求項１２に記載の制御モジュール。
【請求項１４】
前記アンテナ（３３）が、湾曲セクション（３６ａ、３６ｂ）と、実質的に直線のセクション（３５ａ、３５ｂ）とを備え、前記湾曲セクションが、前記制御モジュールの長手方向軸（３４）からの異なる径方向距離にあり、前記実質的に直線のアンテナセクションによって互いに連結されることを特徴とする、請求項１２又は１３に記載の制御モジュール。
【請求項１５】
前記アンテナ（３３）が、前記端部面（４）に向けられるように配置されるアンテナ・プリント回路板（１７）の一部を含み、前記制御モジュールが、前記制御モジュール内の他の構成要素からの干渉から前記アンテナ・プリント回路板を遮蔽するために構成される遮蔽物（１２ａ、１２ｂ）をさらに備えることを特徴とする、請求項１２から１４までのいずれか一項に記載の制御モジュール。
【請求項１６】
前記制御モジュールが、前記近距離無線通信ユニットの位置、及び前記近距離無線通信手段（２４）の位置のうちの少なくとも１つに印を付けるように構成されるモジュール情報キャリア（１６）をさらに備えることを特徴とする、請求項１１から１５までのいずれか一項に記載の制御モジュール。
【請求項１７】
前記近距離無線通信ユニットが、前記制御モジュールが関連付けられる制御モジュール基部の近距離無線通信手段（２４）に書き込むように構成されることを特徴とする、請求項１１から１６までのいずれか一項に記載の制御モジュール。
【請求項１８】
請求項１から１０までのいずれか一項に記載の制御モジュール基部（２３）と、請求項１１から１７までのいずれか一項に記載の制御モジュール（１）とを備える、制御機構。
【請求項１９】
請求項１８に記載の制御機構を含む、照明器具。
【発明の詳細な説明】
【技術分野】
【０００１】
本発明は、制御モジュール機構の改良、又は制御モジュール機構に関する改良に関する。
【背景技術】
【０００２】
制御モジュール機構は、制御モジュールと、照明器具ハウジングの外側に制御モジュールを締結するための制御モジュール基部とを備える。制御モジュールの使用により、照明器具ネットワーク、加えて照明器具管理システムに、照明器具を組み込むことができる手段が提供される。制御モジュール基部は、基部本体を有し、これは少なくとも部分的に中実体の形をとることができ、その上面に制御モジュールを締結するための少なくとも１つの締結手段が提供される。締結手段は、掛け金手段、制御モジュールの相補的掛け金手段のための凹部、又はねじ連結手段を備えてもよく、これらの締結手段は、たとえば制御モジュール基部の上側又は上面に配置され、制御モジュール基部の上面に凹部を形成され、又は制御モジュール基部の側方表面に存在し、その結果、制御モジュールは、上側又は上面と位置合わせされて配置される。この場合、上側又は上面は、基部が突出するか又は締結される照明器具ハウジング表面から離れた方に向いている、制御モジュール基部の面を意味すると理解されることを意図している。制御モジュール基部の側方表面は、たとえば実質的に円筒形の形であるとき、ある角度で照明器具ハウジングの表面に立つ。
【０００３】
制御モジュール基部は、ＡＮＳＩ規格Ｃ−１３６．１０又はＣ−１３６．４１に適合し、「ＮＥＭＡソケット」とも称される、又は知られている。言うまでもないが、任意の他の所望の寸法及び機器を有する制御モジュール基部が、以下でより詳細に述べられる本発明の主題の範囲に含まれる。
【０００４】
従来技術によるこの種類の制御モジュール基部は、たとえば照明器具の上側に、この照明器具の単純なスイッチオン／スイッチオフ動作を制御するために使用することができる調光スイッチを配置するために使用される。
【０００５】
本発明はさらに、事前に指定した制御モジュール基部に固定されるように構成される、照明器具ネットワークに照明器具を組み込むための制御モジュールに関し、制御モジュールは、複数の電気的構成要素及び／又は電子的構成要素を有し、これにより、照明器具は照明器具ネットワークに組み込まれ、それによって制御され得る。最後に、本発明は、制御モジュール基部と関連付けられた制御モジュールとを備える機構に関する。
【０００６】
照明器具、たとえば街頭の照明器具は、ますますインテリジェントな制御システムを有するようになっていることが従来技術から知られている。組み込まれた制御モジュールを備える街頭の照明器具は、たとえば他の照明器具と共にネットワークを形成することができ、ネットワークは、サーバによって管理コンソールを用いて制御されてもよく、少なくとも１つの関連付けられたセグメント制御装置によっても制御されてもよい。この場合、照明器具は、照明器具ハウジングに配置される制御モジュール基部の外側に制御モジュールを嵌合することにより、改造され、この種類の制御モジュールを新たに備えてもよい。欠点の１つは、照明器具を発注する担当者が、制御モジュールを発注する人とはしばしば異なることである。さらに、照明器具及び／又は制御モジュールを現地で取り付けるために、一般に、またさらなる異なる作業員が使われる。そうすると、照明器具を作動させるのに関連する照明器具固有の情報、たとえば照明手段のタイプ、ハウジングのタイプ、及び照明手段を作動させるのに関連する他の情報は、照明器具の使用開始中、制御モジュールを組み込むとき、手作業で入力されなければならない。この目的のために、対応する情報が照明器具に提供されていなければならない。次いで情報は、組立て中、対応する登録装置に手作業で伝達され、一般にこの登録装置からサーバまで伝達されなければならない。
【発明の概要】
【発明が解決しようとする課題】
【０００７】
本発明の目的は、照明器具の使用開始を単純化することである。この目的は、請求項１に記載の制御モジュール基部、請求項１０に記載の制御モジュール、及び請求項１８に記載の制御モジュール基部及び制御モジュールを備える機構によって達成される。本発明の有利な改良点は、従属請求項及び以下の説明から決定され得る。
【課題を解決するための手段】
【０００８】
本発明による制御モジュール基部は、照明器具の仕様に関する情報の少なくとも１つの項目を含むか、又は情報の少なくとも１つの項目を書き込むことができる近距離無線通信（ＮＦＣ：near-field communication）手段が提供されるという点を特色としている。近距離無線通信手段は、バッテリがない、好ましくはパッシブな手段であり、これは非接触で情報を送信するように設計され、たとえば無線方式識別（ＲＦＩＤ：radio frequency identification）技術、ブルートゥース低エネルギ（ＢＬＥ：Bluetooth Low Energy）技術、赤外線技術、又は他のワイヤレス近距離伝送技術に基づくものである。［ブルートゥース（登録商標）は、（２４００から２４８０ＭＨｚまでの産業、科学、及び医療用（ＩＳＭ：industrial, scientific and medical）バンドでの短波長無線伝送を使用して）固定装置及び移動装置から短距離間でデータを交換するためのオープン・ワイヤレス技術規格である。ブルートゥース（登録商標）を使用して、高いセキュリティレベルを有するパーソナル・エリア・ネットワーク（ＰＡＮ：personal area network）を作り出すことができる。ブルートゥース（登録商標）は、ブルートゥース・スペシャル・インタレスト・グループ（ＳＩＧ：Special Interest Group）によって管理されている。］使用される技術は、近距離伝送向けの、好ましくは数メートルである限定された射程をもつ。特に、近距離無線通信に使用される技術には、制御モジュール基部に配置されるエネルギ・ハーベスティング手段によって引き出されるエネルギが供給されてもよい。
【０００９】
本明細書において使用される場合、「制御モジュール基部」という用語は、照明器具ハウジングに取付け可能な、又は少なくとも部分的に照明器具ハウジングの中にある、制御モジュールの分離可能な基部部分を指すことを意図されている。基部部分又は制御モジュール基部は、本明細書では「基部本体」とも称される。制御モジュール基部は、制御モジュールが取り付けられる上側表面又は第１の表面と、照明器具ハウジングに取り付けられる下側表面又は第２の表面と、第１の表面と第２の表面との間の側方表面又は周辺表面又は第３の表面とを有する、概ね円筒形の構成要素を備える。
【００１０】
近距離無線通信手段の存在により、現地で照明器具に制御モジュールを取り付ける担当者は、照明器具に連結されている制御モジュール基部から、自動的に照明器具の仕様に関する情報を読み取ることができる。制御モジュール基部を生産する担当者も、照明器具ハウジングに制御モジュールを据え付けるとき、制御モジュール基部に照明器具固有の情報を残すことができ、又は近距離無線通信手段に照明器具固有の情報を書き込むことができる。
【００１１】
この場合、「近距離無線通信手段」という用語は、特に４５０キロビット／秒である最大値を上回らないデータ・レートで、好ましくは数メートル及び数センチメートル（１ｍまで）である短距離間で、無線技術により非接触でデータを交換するために使用することができる、近距離無線通信手段を意味すると理解されることを意図されている。特に、本発明のための近距離無線通信は、たとえばＩＳＯ１４４４３又はＩＳＯ１５６９３に述べられているようなＲＦＩＤ技術に基づくものである。
【００１２】
本明細書において使用される場合、「照明器具ハウジング」という用語は、照明要素、照明要素用のドライバ、及び他の機能が位置付けられる、又は取り付けられる、照明器具のヘッド部を指すことを意図されている。以下でより詳細に述べられるように、照明器具ハウジングは、制御モジュール基部又は基部本体を取り付けることができる表面を有する。限定はされないが、通常、この表面は、照明器具ハウジングの上側表面又は上表面を含む。
【００１３】
近距離無線通信手段は、書込み可能に設計されても、書込み不可能に設計されてもよい。近距離無線通信手段に提供され得る情報は、たとえば調光パラメータやハウジングタイプに関する照明器具固有のデータを含んでも、照明器具固有の対応するデータ、すなわち、特にデータベースを用いた、且つ／又はソフトウェア内の、照明器具の仕様に関するデータにリンクされている識別子の形をとる照明器具の仕様に関する情報であってもよい。照明器具の仕様に関するデータには、以下の情報、すなわち製造業者、製品系列、製品ＩＤ、国、色温度、束密度（flux density）、光度測定タイプ、ハウジングタイプ、公称電圧階級、ドライバ製造業者、ドライバタイプ、出力電流範囲、出力電圧範囲、調光範囲、並びに／又は照明器具及び／若しくは照明器具の構成部品を特定するために使用される多数のさらなるパラメータが含まれ得るが、これらに限定はされない。情報には、照明器具の動作及び／又は資産管理に関連するデータ及び／又は図面のすべて、又はそのうちのいくつかが含まれてもよい。
【００１４】
近距離無線通信手段が読み取られた後、データベース又はソフトウェアは、照明器具固有のデータは、組立て作業員、制御モジュール、及び／又は照明器具ネットワーク全体にとって利用可能になるよう、組立て作業員によって、または、自動的に確認されてもよい。
【００１５】
本明細書において使用される場合、「照明器具ネットワーク」という用語は、各照明器具が、少なくともそのすぐ近傍にある他の制御モジュールと通信するように、または、制御モジュールのグループを制御するように指定される制御モジュールであってもよいセグメント制御装置通信するように、構成される制御モジュールを有する、照明器具のネットワークを指すことを意図されている。制御モジュールの追加的な機能には、無線ネットワーク又はインターネット・ネットワークとの通信が含まれてもよい。
【００１６】
本明細書において使用される場合、「セグメント制御装置」という用語は、制御モジュールのグループを制御する装置を指すことを意図されている。セグメント制御装置は、その近傍の制御モジュールのグループを制御するように選択された制御モジュールを備えてもよい。
【００１７】
近距離無線通信手段は、好ましくは、少なくとも部分的に基部本体の外側に配置され、これによって取付けプロセス中、それに続く嵌合を単純化する。基部本体は、（上述のように）その上側表面に制御モジュールを取り付ける締結手段に加えて、基部本体を照明器具ハウジングに、且つ／又は部分的にその中に固定する手段も、その下側表面に（やはり上述）備えることができる。制御モジュール基部は、照明器具によって照らされることになる地面又は他の表面に向く方向で下に向いている、照明器具ハウジングの表面に配置されてもよい。この場合、照明器具ハウジングから離れた方に向いている制御モジュール基部表面が、制御モジュール基部の表面を構成する。
【００１８】
既に生産された制御モジュール基部にも、後で近距離無線通信手段が提供されてもよい。この場合、情報キャリアが、たとえば近距離無線通信手段が組み込まれるラベルの形をとり、又は近距離無線通信手段が制御モジュール基部に配置され、取り付けられ、又は組み込まれ得る手段によるものである。
【００１９】
代替策として、又は追加的に、外部の影響による近距離無線通信手段の損傷を少なくとも最小限にするか、さらには防止することができるように、近距離無線通信手段は、少なくとも部分的に基部本体に組み込まれてもよい。後者の場合、近距離無線通信手段は、完全に基部本体に組み込まれる必要がある。同時に、完全に基部本体に組み込まれる近距離無線通信手段の場合、制御モジュール基部の任意の通電部からの電気的絶縁が、より効果的に確実になる。
【００２０】
本発明の一実施例によれば、近距離無線通信手段は、制御モジュール基部の上部領域に配置される。ここでは、「上部領域」という用語は、取付け位置において、基部本体の、照明器具ハウジングから離れている半部、又は少なくとも一部を意味する。
【００２１】
近距離無線通信手段は、ＲＦＩＤタグとも称される、ＲＦＩＤトランスポンダを備えることが有利である。関連技術が知られており、驚くことに、温度の大きなばらつき、たとえば照明器具に配置され得る携帯電話用マスト（ｍｏｂｉｌｅ  ｔｅｌｅｐｈｏｎｅ  ｍａｓｔ）によるか又は制御モジュール自体の追加的なアンテナに起因する高い電波密度、及び湿気の所与の極端なばらつきをも含む比較的厳しい外部条件にもかかわらず、プロセスの信頼性をもって、屋外に配置される照明器具に使用され得る。
【００２２】
さらに、好ましくはコイルの形をとり、限られたサイズであるにもかかわらず十分に大量のデータを記憶するＲＦＩＤトランスポンダが使用されてもよい。一実例として、ＲＦＩＤトランスポンダ又はＲＦＩＤタグは、基部本体と一緒に射出成形されても、その生産中、射出成形工程を用いて基部本体に封入されてもよい。
【００２３】
近距離無線通信手段は、特に基部本体に組み込まれることになるとき、シリンダの形をとってもよい。コイル及びトランスポンダ回路を含むこの小型の円筒形の形状により、十分に小さい空間内にデータを記憶することができ、以下で述べられる操作者又は制御モジュールへのデータ送信動作を十分に高い信頼性で実現することができる。近距離無線通信手段の円筒形の形により、基部本体に設けられる穴を通して、又は製造時、たとえば射出成形工程中に、基部本体に近距離無線通信手段を容易に組み込むことが可能になる。
【００２４】
書込み可能でも書込み不可能でもよく、記憶容量が２５０バイト未満である、ＲＦＩＤトランスポンダの形をとる比較的単純な構造の近距離無線通信手段が使用されることが好ましい。記憶された情報は、１つ又は複数のデータ・パケット及び／又は、それぞれがいくつかのデータ・パケットを含む１つ又は複数の情報パケットでもよい。２つの識別子（ＩＤ：identifier）の形をとる２つの情報項目が、この種類の１つのトランスポンダに記憶されることが好ましく、特に、少なくとも１つの識別子は、一意識別子（ＵＩＤ：unique identifier）を備える。この一意識別子を使用して、制御モジュール基部を明確に識別することができ、一方、追加的なＩＤは、照明器具固有のＩＤを含むことができる。
【００２５】
ＵＩＤの変更により、サーバ上の関連付けられたソフトウェアにおいて、又は関連付けられた制御モジュールにおいて、制御モジュールが、新しい制御モジュール基部にどの程度まで配置されているかを特定することが可能になる。
【００２６】
さらに、ＵＩＤを使用して、照明器具の生産中、既に適用されているデータセットによって、照明器具のトレーサビリティを確実にすることができる。したがって、制御モジュール基部についての近距離無線通信手段内の情報は、工場で照明器具の製造中に追加され、後で照明器具を個別化するためのデータベースのＵＩＤエントリに対応する、ＵＩＤを含む。これも、本発明によるさらなる例示的な実施例において、以下に述べられることになる。
【００２７】
本発明によるさらなる実例によれば、ソフトウェア又はデータベース内の照明器具固有の情報にもリンクされるＩＤの形をとる情報のうちの１項目のみが、近距離無線通信手段に記憶されてもよい。
【００２８】
照明器具固有のＩＤは、早くも照明器具の制御モジュール基部との組立て中、照明器具ネットワークの一部である、又は照明器具ネットワークによって到達され得る、関連付けられたソフトウェア及び／又はデータベースに記憶されていてもよい。この場合、照明器具ネットワークは、互いに、且つ／又はやはりネットワークの一部を形成するリモート・コンピュータ・ユニット若しくはサーバで動作しているプログラムと通信することができる制御モジュールを備える複数の照明器具を有する、照明器具のネットワークと理解される。
【００２９】
使用される技術の範囲は限定されているので、制御モジュール基部への、制御モジュールの位置決め及び／又は近距離無線通信手段の位置合わせを不具合なく実施することができるように、制御モジュール基部には、そこに位置付けられるトランスポンダの位置に印を付ける、且つ／又はその上に制御モジュールを位置決めするための情報キャリアが提供されることが有利である。
【００３０】
制御モジュールが取り付けられた状態でも情報キャリアが見えるように、好ましくは、この情報キャリアは、上表面に対して離れるように角度を付けられる別の表面、たとえば基部本体の側方表面に配置されてもよい。制御モジュールに何らかのさらなる印を付ける場合、制御モジュールと制御モジュール基部が互いに取り付けられるとき、制御モジュールと制御モジュール基部の互いに対する配向を確認することができる。
【００３１】
基部本体は、好ましくは多分割構造、つまりいくつかの部分を有する構造であり、導電性接続接点を有する少なくとも１つの基部本体の部分が、少なくとも１つの他の基部本体の部分に対して回転され得る。このような基部本体の部分は、たとえば締結基部の回転可能なアタッチメントでもよい。別法として、制御モジュールが制御モジュール基部の静止部に固定的に配置された場合、近距離無線通信手段を備える、制御モジュール基部の回転可能な部分は、制御モジュール又は読取りユニットに対する近距離無線通信手段の位置決めを最適化できるまで回転可能でもよい。
【００３２】
導入部で設定された目的は、本明細書で述べているような本発明による制御モジュール基部に締結することができ、近距離無線通信ユニットを有する制御モジュールによっても達成される。近距離無線通信ユニットは、好ましくは読取りユニットの形をとり、これにより、制御モジュール基部の近距離無線通信手段がもつ情報が、制御モジュールを介して読み取られ得る。特に、近距離無線通信ユニットを用いて、制御モジュール基部の近距離無線通信手段と通信することが可能である。
【００３３】
制御モジュールは、複数の電気的及び／又は電子的構成要素を有し、それらにより、制御モジュールが照明器具ネットワークの一部を形成でき、照明器具ネットワーク内で通信でき、ことによると照明器具ネットワークを制御でき、且つ／又は照明手段又は照明器具を作動させもできることが容易に理解されよう。非限定的な実例として、電子的構成要素は、たとえば制御モジュールを制御するためのプログラムが動作する制御ユニット、電力を供給する手段、照明器具ネットワーク内の他の制御モジュール及び／又は任意の他のサーバ若しくはセグメント制御装置と通信する手段、並びにことによると環境データを記録するためのセンサも備えることができる。
【００３４】
制御モジュールに近距離無線通信ユニットを組み込むことにより、近距離無線通信手段から特に自動的に情報を読み取ることが可能であり、したがって情報を自動的に入手できるようにすることが可能になる。この目的のために、たとえば制御モジュールの制御装置は、近距離無線通信手段から情報を読み取ることをトリガ及び制御し、この情報が少なくとも１つの通信ユニットによってサーバ又は他の担当の制御装置に送信されるのを確実にすることができ、又はことによるとデータベース自体から、照明器具を動作させるために必要な対応する照明器具固有の情報を取り出す。同様に、多数の識別子及び関連付けられた照明器具固有の情報を含むリストが、ことによると制御モジュールの制御装置に記憶されていてもよい。
【００３５】
近距離無線通信手段から得られる情報を変更するために、近距離無線通信ユニットは、制御モジュール基部の近距離無線通信手段に書き込むように設計されてもよい。
【００３６】
照明器具ネットワークでの通信は、好ましくはメッシュ・ネットワークの形をとり、特に中距離通信、たとえば無線通信によって行われる。他の代替のネットワークが、たとえばスター型の形をとって組織されてもよく、且つ／又は電力線をベースとして稼働してもよい。やはり遠く離れて位置し、それによってネットワークが運用され得る、サーバによる長距離通信は、電話接続及び／若しくはインターネット接続、又はワイヤレス・ローカル・エリア・ネットワーク（ＷＬＡＮ：wireless local area network）接続を用いたこの種類の他の接続の組合せによって行われ得る。
【００３７】
近距離無線通信ユニットは、好ましくはＲＦＩＤ読取りユニットの形をとる、又は少なくとも１つのＲＦＩＤ読取りユニットを有する。近距離無線通信ユニットは、近距離無線通信によってさらなる近距離無線通信手段、たとえば照明器具の近距離無線通信手段を読み取るように構成されてもよく、且つ／又は１つ又は複数のさらなる読取りユニットを制御してもよい。特に、制御モジュールは、１つ又は複数のＮＦＣ読取りユニットによって、たとえば制御モジュール基部から離れた、照明器具ハウジングの位置に位置しているセンサを確認することもできる。
【００３８】
近距離無線通信ユニットは、制御モジュールが可能な限り平坦に構成され得るように、その平面形状のために、制御モジュールの端部面に対して少なくとも区画ごとに平行に並べたアンテナを備えることが好ましい。同時に、アンテナの送信方向及び受信方向は、エネルギ及び／又は情報の受信及び送信が、制御モジュールのハウジング壁部及び／又は制御モジュール基部のハウジング壁部を通しても可能になるように、実質的に制御モジュール基部の方向に形成することができる。この場合、制御モジュールの端部面は、制御モジュール基部に向けられ、考えられるいかなる突出する接点にも関係なく、制御モジュールのための支持区域を形成することができる面である。
【００３９】
アンテナは、その平面形状において、電気的構成要素又は電子的構成要素の少なくともいくつかを有するプリント回路板に対して平行に形成されることが好ましい。このようにして、これに対応する据付け空間の節減がやはり達成される。制御モジュールは、街灯として実装される照明器具上に配置するための光学的利点を伴った比較的平坦な構造でもよい。
【００４０】
特に、アンテナは、アンテナ・プリント回路板の一部を構成することができ、アンテナ・プリント回路板は、制御モジュール内に配置され、プリント回路板から遮蔽されており、且つ特に、組み立てられたとき制御モジュール基部の方を向く制御モジュールの下方部分に配置される。
【００４１】
アンテナ・プリント回路板をアンテナのみに対して固定できることにより、プリント回路板が制御モジュール基部に対して正しい配向であることが確実になり、その結果、データはより高いプロセスの信頼性で送信され得る。制御モジュールに存在する可能性のある任意の干渉源からの遮蔽も、データ送信の信頼性を向上させる。
【００４２】
アンテナ・プリント回路板によって占められる据付け空間をさらに利用するために、アンテナ・プリント回路板は、対応する対合用部品を制御モジュール基部に有し且つたとえば「０〜１０Ｖ」プロトコル又はデジタル調光照明インタフェース（ＤＡＬＩ：digital addressable lighting interface）プロトコルでコマンドを送信するために使用され得る弱電流接点に、電線を介してさらに接続されてもよい。
【００４３】
本明細書において使用される場合、「弱電流」という用語は、１Ａ未満である電流値を指すことを意図されている。
【００４４】
好ましくは、４つの弱電流接点がアンテナ・プリント回路板に接続され、それらのうちの２つは調光のために使用され、それらのうちの別の１つは１２Ｖの直流用に使用され、さらなる弱電流接点はセンサ入力用に使用される。しかし、特定の実装形態に従って、他の数の弱電流接点が提供されてもよい。
【００４５】
アンテナ・プリント回路板は、好ましくは、制御モジュール基部の近くに位置付けられることになる制御モジュールの一部に配置されるので、アンテナ・プリント回路板は、制御モジュールの電源までさらなる接続を実施するための凹部を有することが好ましい。低いエネルギが提供されるＮＦＣ通信での干渉は、制御モジュール内の他のプリント回路板及び他の電気的ユニットからのアンテナ・プリント回路板の遮蔽によって避けられる。
【００４６】
多数の様々な構成によると、驚くことに、本発明のさらなる例示的な実施例によるアンテナが長手方向軸からの径方向距離が異なる湾曲セクションを有するとき、ＲＦＩＤトランスポンダからの情報の読取りが特に改善されることが見いだされている。特に、長手方向軸は、アンテナの平面に対して垂直であるか、又は制御モジュールの長手方向軸に対応する。
【００４７】
アンテナの湾曲セクションは、長手方向軸の周りに配置されてもよく、特にアンテナ・プリント回路板上に径方向に配置される実質的に直線のアンテナセクションによって互いに連結される。これらの湾曲セクション同士を連結する実質的に直線のアンテナセクションは、径方向ではなく、互いに対して比較的鋭角又は鈍角に、湾曲セクション同士を連結することもできる。しかし、アンテナが複数の囲繞セクション又は導線トラックを有することができ、制御モジュール内の利用可能な据付け空間を利用することが有利である。好ましくは、制御モジュールには、長手方向軸に対して平行であるか又はそれと一致する長手方向で見たとき円形の断面を有する、概ね円筒形の形状を有するカバーが提供される。
【００４８】
本発明による制御モジュールには、早くも工場で、近距離無線通信ユニットの位置に印を付けるための、且つ／又は近距離無線通信手段の位置決めに印を付けるためのモジュール情報キャリアが提供されてもよく、その結果、制御モジュール基部に、又は制御モジュール基部上に、制御モジュールを組み込む目的で、正しい配置であるかどうかを確認することが可能になっている。
【００４９】
導入部で設定された目的は、本明細書で述べられるような、本発明による制御モジュール基部と制御モジュールとを備える、請求項１８に記載の機構によっても達成することができる。この機構には、記載されている利点が備えられ、特に、照明器具固有の情報が、照明器具に関連付けられた制御モジュール基部から自動的に読み取られ得るので、照明器具ネットワークは、この種類の機構の使用により、より高いプロセスの信頼性をもってより迅速且つより容易にセットアップされ得る。これにより、関連付けられた制御モジュールの動作開始又は使用開始が単純化され、したがって照明器具ネットワークのセットアップ工程及び運用が単純化される。
【００５０】
制御モジュールは、近距離無線通信ユニットを駆動するように構成される制御装置を備え、関連付けられた情報は、照明器具ネットワークに関連付けられることになるデータベースからも読み取られてもよく、又は関連付けられたサーバによって受信されてもよい。制御装置の、必要なプログラミング及び構成、並びに近距離無線通信ユニットの組込みは、容易に実装され得る。
【００５１】
本発明のさらなる利点及び詳細は、各図の以下の説明から明らかになる。
【図面の簡単な説明】
【００５２】
【図１】本発明による制御モジュールの斜視図を示す。
【図２】図１に示される制御モジュールの分解図を示す。
【図３】図１に示される制御モジュールの一部を通した垂直断面図を示す。
【図４】本発明による制御モジュール基部の断面図を示す。
【図５】図４に示されるような制御モジュール基部の平面図を示す。
【図６】本発明の別の実施例による制御モジュール基部の側面図を示す。
【図７】図１に示されるような本発明による情報キャリアの一部を示す図を示す。
【図８】図１に示されるような本発明によるアンテナ・プリント回路板の平面図を示す。
【発明を実施するための形態】
【００５３】
以下に述べられる例示的な実施例の単一の技術的特徴は、本明細書に述べられる例示的な実施例と組み合わせて、本発明による他の実施例を形成するように組み合わせられてもよい。さらに、特許請求の範囲に記載の特徴を有する例示的な実施例の組合せも、本発明によるものである。適当な場合には、同じ機能的効果を有する要素には、同一の参照符号が提供される。
【００５４】
図１〜図３は、外側ハウジング部又はカバー２と内側ハウジング部３とを備えるハウジングを有する、本発明による制御モジュール１を示す。内側ハウジング部３の端部面４には、追加的に封止部６が備えられ、これにより、本発明による制御モジュール基部（図１〜図３には図示せず）との封止クロージャを確立することができる。
【００５５】
制御モジュール１の一連の構成要素が概略的に示されている。これらの構成要素はアンテナ８ａ、８ｂを含み、アンテナ８ａ、８ｂは、それらの動作を管理及び／又は制御するための少なくとも１つのマイクロプロセッサ及びさらなる電気的構成要素又は電子的構成要素（図示せず）を有するプロセッサ・プリント回路板９によって駆動することができる。２つのアンテナ８ａ、８ｂが示されているが、任意の適した数のアンテナが実装されてもよいことが容易に理解されよう。
【００５６】
制御モジュール１は、少なくとも１つのマイクロプロセッサ及びさらなる電気的構成要素又は電子的構成要素（やはり図示せず）が配置されるメイン・プリント回路板１１も含む。メイン・プリント回路板１１は、プロセッサ・プリント回路板９と隣り合うように位置付けられることを意図されており、制御モジュール１の機能のうちの少なくともいくつかの動作を制御するように構成される。
【００５７】
プロセッサ・プリント回路板９とメイン・プリント回路板１１との間の絶縁を向上させるために、プロセッサ・プリント回路板９とメイン・プリント回路板１１との間に遮蔽膜又は遮蔽箔１２ａが設けられる。制御モジュール１に電力を供給するために使用されるリレー、トランス及びキャパシタ、並びにさらなる電気的構成要素又は電子的構成要素も、メイン・プリント回路板１１に配置される。プロセッサ・プリント回路板９と隣り合わないメイン・プリント回路板１１の表面にリレー、トランス及びキャパシタなどを配置することにより、且つメイン・プリント回路板１１と隣り合わないプロセッサ・プリント回路板９の表面に構成要素を配置することにより、２つのプリント回路板の間の空気間隙を実質的に最小限にすることができる。
【００５８】
電力は、主に固体ロータリー接点及び／又はプラグ接点１３ａ、１３ｂ、１３ｃによって制御モジュール１に供給され、これらの接点は、たとえば真鍮から作られ、制御モジュール基部（図１〜図３には図示せず）に制御モジュール１を締結するために関連付けられてそれに対応して形作られた制御モジュール基部の凹部に係合する。各接点１３ａ、１３ｂ、１３ｃは、その他の接点のそれぞれと互いに異なるように設計される。
【００５９】
接点１３ａ、１３ｂ、１３ｃと同様に、接点が挿入される、関連付けられた制御モジュール基部の凹部は、互いに異なるように設計され、その結果、制御モジュール基部に制御モジュール１を明確に位置決めすることが可能になる。凹部は、締結手段として使用される。
【００６０】
示されているように、接点１３ａ、１３ｂ、１３ｃは、下面４を越えて延在する。４つの弱電流接点１４ａ、１４ｂ、１４ｃ、１４ｄ（図１では接点１４ｃのみを見て取ることができ、図３では接点１４ａ及び１４ｃのみを見て取ることができる）が、下面４に配置されている。
【００６１】
接点１３ａ、１３ｂ、１３ｃと弱電流接点１４ａ、１４ｂ、１４ｃ、１４ｄはどちらも、内側ハウジング部３に部分的に配置され、そこに固定される。
【００６２】
図１では、ラベル又はモジュール情報キャリア１６が、制御モジュール１の内側ハウジング部３に外側ハウジング部２を取り付ける直前の位置に示されている。したがって、ラベル又はモジュール情報キャリア１６は、外側ハウジング部又はカバー２から部分的に延在する。
【００６３】
アンテナ・プリント回路板１７（図２に示されている）は、制御モジュール１の内側ハウジング部３の外側周辺部の内側、又はその境界内に配置される。アンテナ・プリント回路板１７は、プラグ接点１３ａ、１３ｂ、１３ｃを有する、下ハウジング部３の部分１８ａ、１８ｂ、１８ｃが通って突出することができる凹部１７ａを有する。したがって、プラグ接点１３ａ、１３ｂ、１３ｃは、メイン・プリント回路板１１のところまで通過することができ、そこに接続され得る。膜のような、又は箔のような遮蔽物１２ｂも、アンテナ・プリント回路板１７とメイン・プリント回路板１１の間に配置され、遮蔽物１２ｂも、部分１８ａ、１８ｂ、１８ｃが突出することができる凹部（図が見えやすいように符号は付けられていない）を有する。ラベル又はモジュール情報キャリア１６は、近距離無線通信ユニットの位置に印を付けるように、又は近距離無線通信手段の正しい位置決めを示すように設計される。
【００６４】
アンテナ・プリント回路板１７のためには、長手方向中心軸３４（図２）の方向にほとんど空間を必要とせず、アンテナ・プリント回路板１７は、図３に示されるように制御モジュール１の内側ハウジング部３の下方部分に位置付けられるので、内側ハウジング部の下方部分は、メイン・プリント回路板１１の構成要素が利用できる比較的広い据付け空間を有する。メイン・プリント回路板１１は、部分１８ａ、１８ｂ、１８ｃによってハウジングの内側ハウジング部３に締結される。メイン・プリント回路板１１と同様に、プロセッサ・プリント回路板９は、図３に示されるようにロッドのようなプリント回路板保持装置１９によって内側ハウジング部３に配置される。ロッドのような３つのプリント回路板保持装置１９は、図３ではそのうちの１つだけに符号が付けられているが、内側ハウジング部３と一体に形成され、内側ハウジング部３及びそれぞれのプリント回路板の周縁部の周りで規則的に、プロセッサ・プリント回路板９及びメイン・プリント回路板１１の周りに分布する。プリント回路板保持装置１９は、周縁部の周りに規則的に位置付けられるだけでなく内側ハウジング部３の縁部の適した位置にも位置付けられる、２つ以上のロッドのような保持要素から構築されてもよい。
【００６５】
アンテナ８ａ、８ｂは、フレキシブルなプリント回路板部品２１によってプロセッサ・プリント回路板９に接続され、プロセッサ・プリント回路板９に配置されるアンテナ保持装置２２によって内側ハウジング部３の内側の所定の位置に保持される。
【００６６】
ここで図４及び図５に目を向けると、制御モジュール基部２３の側面図が、制御モジュール基部２３の上側又は上面２６上の、ＲＦＩＤトランスポンダの形をとる近距離無線通信手段２４の配置を示している。凹部２８ａ、２８ｂ、２８ｃ（図５）は、上で述べたように、プラグ接点１３ａ、１３ｂ、１３ｃを受けるためにサイズが異なる。凹部２８ａ、２８ｂ、２８ｃは、制御モジュール基部２３（図４）の一段高くなった部分２７に配置される。この形状により、凹部２８ａ、２８ｂ、２８ｃは、好ましくは掛け金式に制御モジュール１を固定する働きをし、したがって締結手段を形成して、制御モジュール基部２３の上側面又は上面２６に制御モジュール１を締結する。
【００６７】
導電性接触ストリップ２５ａ、２５ｂ、２５ｃ、２５ｄは、図２に示されているような弱電流接点１４ａ、１４ｂ、１４ｃ、１４ｄのそれぞれと接触する働きをする。接触ストリップ２５ａ、２５ｂ、２５ｃ、２５ｄは、凹部２８ａ、２８ｂ、２８ｃの内側表面に並ぶ、図示されていない、さらなる接触手段との制御モジュール基部２３のための導電性接続接点を形成する。電力が、凹部２８ａ、２８ｂ、２８ｃ（図示せず）に配置されるさらなる接触手段及び制御モジュール１のプラグ接点１３ａ、１３ｂ、１３ｃを介して、制御モジュール１に供給される。
【００６８】
情報キャリア３１は、側方表面２９（図４）に嵌合され、ＲＦＩＤトランスポンダ２４の位置を示す。ＲＦＩＤトランスポンダ２４は、操作者が手持ち式読取り装置３０（図６）を使用して読み取ることもでき、その結果、たとえば不具合が発生した際、制御モジュール１が有している任意の情報、又はサーバに送信されている任意の情報を確認することができる。基部本体の上側面又は上面２６と側方表面２９は、互いに対して角度を付けられている。一実施例では、上側面又は上面２６は、側方表面２９と（実質的に９０度で）実質的に直交するが、他の角度も可能であることが理解されよう。
【００６９】
制御モジュール基部２３のさらなる例示的な実施例では、図６に示されるように、図４及び図５を参照して上に述べられたようにＲＦＩＤトランスポンダの形をとる近距離無線通信手段２４は、情報キャリア３１によって側方表面２９に固定される。情報キャリア３１は、（常に目に見えるとは限らない）トランスポンダ２４の存在を示す手段、たとえば情報キャリア３１の外側の、色が付けられた印も有することができる。情報キャリア３１は、ラベルの形をとってもよい。
【００７０】
トランスポンダ２４は、情報キャリア３１の１つ又は複数の層に、又はそれらの間に位置付けられるように、情報キャリア３１に組み込まれてもよい。情報キャリア３１は、たとえば内側の接着層と外側の撥水層とを有する多層ラベルを備えてもよい。外側の撥水層は、好ましくは、たとえばポリプロピレン（ＰＰ）から構築されるが、撥水特性を有する任意の他の適した材料が使用されてもよいことが理解されよう。情報キャリア３１の接着層及び外側の層は、屋外での使用に適するように設計され、制御モジュール１の１５年の推定耐用期間に少なくとも見合う耐用期間を有する。接着層及び外側の層は、ＵＶ耐性があり、日光に耐性があり、−４０℃から７５℃の温度範囲でそれらの特性を維持する。
【００７１】
図７は、制御モジュール１のモジュール情報キャリア１６をより詳細に示す。情報キャリア１６は、組立て後に制御モジュール基部２３のＮＦＣ要素と制御モジュール１が正しく位置決めされているかどうかを確認できるようにするために、本発明による配置の締結位置でたとえば制御モジュール基部２３の情報キャリア３１のインジケータと対応する、インジケータ手段３２を有する。
【００７２】
図８は、制御モジュール１のアンテナ・プリント回路板１７をより詳細に示す。上に述べたように、アンテナ・プリント回路板１７は、制御モジュール１の内側ハウジング部３の中に位置付けられ、長手方向中心軸３４が、そこに形成される開口１７ａ（図２）を通過する。アンテナ・プリント回路板１７にはアンテナ３３が嵌合され、これは、長手方向中心軸３４（図２に示される）に対して、長手方向中心軸からの径方向距離が異なる湾曲セクション３６ａ、３６ｂと、示されているように湾曲セクション３６ａ、３６ｂを互いに連結する実質的に直線のセクション３５ａ、３５ｂとを有する。
【００７３】
湾曲セクション３６ａ、３６ｂ及び実質的に直線のセクション３５ａ、３５ｂのそれぞれは、束として形成される、ＮＦＣアンテナの複数の導線トラックを備える。湾曲セクション３６ａ、３６ｂは、長手方向中心軸３４から異なる径方向距離で配置され、一方の湾曲セクション３６ａはアンテナ・プリント回路板１７の外縁部３７に配置され、別の湾曲セクション３６ｂは開口１７ａを画定する内縁部３８と隣り合って配置される。直線のセクション３５ａ、３５ｂは、外縁部３７と、プリント回路板１７の開口１７ａを画定する内縁部３８との間で、長手方向中心軸に対して実質的に径方向に延在するように配置される。この実施例では、アンテナ・プリント回路板１７は、環状のディスクの形をとることが容易に理解されよう。
【００７４】
アンテナ３３は、関連付けられた電子装置ユニット３９と共に近距離無線通信ユニットを形成し、これは、特にプロセッサ・プリント回路板９に配置される、制御モジュール１の構成要素と通信することができる。上に述べたように、プロセッサ・プリント回路板９は、アンテナ・プリント回路板に対して平行に配置され、したがってアンテナ３３に対して平行に配置される。インタフェース４１がブロックの形をとって示され、電子装置である制御ユニット３９に提供されている。弱電流接点１４ａ、１４ｂ、１４ｃ、１４ｄ（図２）への接続は、詳細には示されていないが、さらなるインタフェース４２によって実現することができる。
【００７５】
アンテナ３３は、その平面形状により、内側ハウジング部３の下面４に対して平行にアンテナ・プリント回路板１７上を走っている。下面４は、制御モジュール基部２３に向けられる面であり、その上に締結手段及び／又は封止手段６が配置される面であるので、下面４は、制御モジュール１の締結面を形成する。
【００７６】
制御モジュール１及び制御モジュール基部２３の特定の実装形態が上に述べられているが、これらの実装形態は例であり、制御モジュール１及び制御モジュール基部２３の他の実装形態が可能である。
【００７７】
照明器具ネットワーク内での制御モジュールの機能は、本発明の本質をなすものではなく、したがってここでは詳細に記載されていないことが理解されよう。
【図１】
2019504453.tif 000003
【図２】
2019504453.tif 000004
【図３】
2019504453.tif 000005
【図４】
2019504453.tif 000006
【図５】
2019504453.tif 000007
【図６】
2019504453.tif 000008
【図７】
2019504453.tif 000009
【図８】
2019504453.tif 000010
【手続補正書】
【提出日】平成30年12月28日(2018.12.28)
【手続補正２】
【補正対象書類名】特許請求の範囲
【補正対象項目名】全文
【補正方法】変更
【補正の内容】
【特許請求の範囲】
【請求項１】
照明器具の外側表面に制御モジュール（１）を取り付けるための制御モジュール基部（２３）であって、
第１の表面（２６）、第２の表面、及び前記第１の表面と前記第２の表面の間の側方表面（２９）を有する基部本体部分と、
前記第１の表面（２６）に設けられ、前記基部本体部分の前記第１の表面（２６）に前記制御モジュール（１）を締結するように構成される、少なくとも１つの凹部（２８ａ、２８ｂ、２８ｃ）とを備える、制御モジュール基部（２３）において、
前記制御モジュール基部（２３）が、前記照明器具の仕様に関する情報のうちの少なくとも１つの項目を含む近距離無線通信手段（２４）をさらに備えることを特徴とする、制御モジュール基部（２３）。
【請求項２】
前記近距離無線通信手段（２４）が、少なくとも部分的に前記基部本体部分の外側に配置されることを特徴とする、請求項１に記載の制御モジュール基部。
【請求項３】
前記近距離無線通信手段（２４）が、少なくとも部分的に前記基部本体部分に組み込まれることを特徴とする、請求項１又は２に記載の制御モジュール基部。
【請求項４】
前記近距離無線通信手段（２４）が、ＲＦＩＤトランスポンダを備えることを特徴とする、請求項１から３までのいずれか一項に記載の制御モジュール基部。
【請求項５】
前記制御モジュール基部（２３）が、前記ＲＦＩＤトランスポンダの位置に印を付けること、前記制御モジュール（１）を位置決めすること、及び前記近距離無線通信手段（２４）を位置合わせすることのうちの少なくとも１つのために構成される情報キャリア（３１）を含むことを特徴とする、請求項４に記載の制御モジュール基部。
【請求項６】
前記情報キャリア（３１）が、前記第１の表面（２６）に対して角度を付けられる前記基部本体部分の前記側方表面に配置されることを特徴とする、請求項５に記載の制御モジュール基部。
【請求項７】
前記近距離無線通信手段（２４）が、コイル及びトランスポンダ回路を含む円筒形の形状を有し、前記円筒形の形状により、前記基部本体に設けられる穴、及びその製造中、前記基部本体に封入することのうちの１つにより、前記基部本体への、その挿入が可能になることを特徴とする、請求項１から６までのいずれか一項に記載の制御モジュール基部。
【請求項８】
前記基部本体部分は、導電性接続接点を有する、前記基部本体部分の少なくとも１つの部分が、前記基部本体部分の少なくとも１つの他の部分に対して回転されるように構成される多分割構造であることを特徴とする、請求項１から７までのいずれか一項に記載の制御モジュール基部。
【請求項９】
前記近距離無線通信手段（２４）に含まれる前記情報が、それが取り付けられることになっている照明器具に関するものであり且つ前記近距離無線通信手段が関連付けられる前記照明器具を後で個別化するためのデータベース内の一意識別子に対応する一意識別子、を含むことを特徴とする、請求項１から８までのいずれか一項に記載の制御モジュール基部。
【請求項１０】
それを照明器具ネットワークに関連付ける、前記照明器具の組込みのために構成される、複数の少なくとも電気的構成要素及び電子的構成要素を備える、制御モジュール（１）であって、当該制御モジュールが、請求項１から９までのいずれか一項による制御モジュール基部（２３）に取り付けられるようにさらに構成され、近距離無線通信ユニットをさらに備え、それにより、前記制御モジュール基部（２３）の前記近距離無線通信手段（２４）内の前記情報が読み取られ得ることを特徴とする、制御モジュール（１）。
【請求項１１】
前記近距離無線通信ユニットが、無線方式識別読取りユニットを備えることを特徴とする、請求項１０に記載の制御モジュール。
【請求項１２】
前記近距離無線通信ユニットが、前記制御モジュールの端部面（４）に対して実質的に平行に配置される実質的に平面のアンテナ（３３）を備えることを特徴とする、請求項１０又は１１に記載の制御モジュール。
【請求項１３】
前記アンテナ（３３）が、前記電気的構成要素又は電子的構成要素のうちの少なくともいくつかを有するプロセッサ・プリント回路板（９）に対して平行に形成されることを特徴とする、請求項１２に記載の制御モジュール。
【請求項１４】
前記アンテナ（３３）が、湾曲セクション（３６ａ、３６ｂ）と、実質的に直線のセクション（３５ａ、３５ｂ）とを備え、前記湾曲セクションが、前記制御モジュールの長手方向軸（３４）からの異なる径方向距離にあり、前記実質的に直線のアンテナセクションによって互いに連結されることを特徴とする、請求項１２又は１３に記載の制御モジュール。
【請求項１５】
前記アンテナ（３３）が、前記端部面（４）に向けられるように配置されるアンテナ・プリント回路板（１７）の一部を含み、前記制御モジュールが、前記制御モジュール内の他の構成要素からの干渉から前記アンテナ・プリント回路板を遮蔽するために構成される遮蔽物（１２ａ、１２ｂ）をさらに備えることを特徴とする、請求項１２から１４までのいずれか一項に記載の制御モジュール。
【請求項１６】
前記制御モジュールが、前記近距離無線通信ユニットの位置、及び前記近距離無線通信手段（２４）の位置のうちの少なくとも１つに印を付けるように構成されるモジュール情報キャリア（１６）をさらに備えることを特徴とする、請求項１０から１５までのいずれか一項に記載の制御モジュール。
【請求項１７】
前記近距離無線通信ユニットが、前記制御モジュールが関連付けられる制御モジュール基部の近距離無線通信手段（２４）に書き込むように構成されることを特徴とする、請求項１０から１６までのいずれか一項に記載の制御モジュール。
【請求項１８】
請求項１から９までのいずれか一項に記載の制御モジュール基部（２３）と、請求項１０から１７までのいずれか一項に記載の制御モジュール（１）とを備える、制御機構。
【請求項１９】
請求項１８に記載の制御機構を含む、照明器具。
【国際調査報告】
2019504453.tif 000011
2019504453.tif 000012